(57)【要約】【課題】作業性を向上させる。【解決手段】コネクタ装置Ａは、端子本体部３３から前方へタブ３４を突出させた雄端子金具３２と、端子本体部３３を保持可能なホルダ１８と、ホルダ１８に取り付けられ、タブ３４を覆う保護位置と、保護位置より後方へ退いてタブ３４を露出させる退避位置との間でスライド可能なカバー２２と、雌側コネクタ４０を構成し、両コネクタ１０，４０の嵌合過程でカバー２２を保護位置から退避位置へ押し動かす押動部５０と、カバー２２と雌側コネクタ４０に形成され、雌側コネクタ４０が雄側コネクタ１０から離脱する過程で互いに係止することで、カバー２２を退避位置から保護位置へ引き戻す係止部としての係止突起３１と係止凹部５１を備える。【選択図】図１６
2019040827.tif 000002
【特許請求の範囲】
【請求項１】
雄側コネクタと、
前記雄側コネクタを構成し、端子本体部から前方へタブを突出させた形態の雄端子金具と、
前記雄側コネクタを構成し、前記端子本体部を保持可能な端子保持部と、
前記端子保持部に取り付けられ、前記タブを覆う保護位置と、保護位置より後方へ退いて前記タブを露出させる退避位置との間でのスライドが可能なカバーと、
前記雄側コネクタと嵌合可能な雌側コネクタと、
前記雌側コネクタを構成し、前記雄側コネクタと前記雌側コネクタが嵌合することで前記タブと接続する雌端子金具と、
前記雌側コネクタを構成し、前記雌側コネクタが雄側コネクタと嵌合する過程で前記カバーを保護位置から退避位置へ押し動かす押動部と、
前記カバーと前記雌側コネクタに形成され、前記雌側コネクタが前記雄側コネクタから離脱する過程で互いに係止することで、前記カバーを退避位置から保護位置へ引き戻す係止部とを備えていることを特徴とするコネクタ装置。
【請求項２】
前記雌側コネクタを構成し、前記雌端子金具を収容する端子収容部と、
前記カバーと前記端子収容部とに形成され、前記雄側コネクタと前記雌側コネクタの嵌合過程で互いに嵌合することで、前記カバーと前記端子収容部が嵌合方向と交差する方向へ相対変位することを規制する位置決め部とを備えていることを特徴とする請求項１記載のコネクタ装置。
【請求項３】
前記カバーの前端部には、前記位置決め部としての枠部が形成され、
前記押動部は、前記枠部に嵌合することで位置決め部として機能するものであることを特徴とする請求項２記載のコネクタ装置。
【請求項４】
前記枠部の内面に、前記係止部として機能する係止突起が形成され、
前記押動部の外面に、前記係止部として機能する係止凹部が形成されていることを特徴とする請求項３記載のコネクタ装置。
【請求項５】
前記雄側コネクタと前記雌側コネクタが正規嵌合して前記押動部が前記カバーに当接している状態では、前記カバーの前記係止部と前記雌側コネクタの前記係止部とが、前記カバーと前記雌側コネクタの離間方向の相対変位を許容し、且つ前記離間方向の相対変位により係止可能となる位置関係で配されることを特徴とする請求項１ないし請求項４のいずれか１項に記載のコネクタ装置。
【請求項６】
押動部を有する雌側コネクタと嵌合可能な雄側コネクタであり、
端子本体部から前方へタブを突出させた形態の雄端子金具と、
前記端子本体部を保持可能な端子保持部と、
前記端子保持部に取り付けられ、前記タブを覆う保護位置と、保護位置より後方へ退いて前記タブを露出させる退避位置との間でのスライドが可能であり、前記雌側コネクタが雄側コネクタと嵌合する過程で前記押動部により保護位置から退避位置へ押し動かされるカバーと、
前記カバーに形成され、前記雌側コネクタが前記雄側コネクタから離脱する過程で前記雌側コネクタの係止対象部と係止することで、前記カバーを退避位置から保護位置へ引き戻す係止部とを備えていることを特徴とする雄側コネクタ。
【請求項７】
前記カバーには、前記雌側コネクタにおいて雌端子金具を収容する端子収容部と嵌合可能な位置決め部が形成され、
前記雄側コネクタと前記雌側コネクタの嵌合過程では、前記位置決め部が前記端子収容部と嵌合することで、前記カバーが前記端子収容部に対し嵌合方向と交差する方向へ相対変位することが規制されることを特徴とする請求項６記載の雄側コネクタ。
【請求項８】
前記カバーの前端部に形成され、前記押動部を嵌合させることで前記位置決め部として機能する枠部を備えていることを特徴とする請求項７記載の雄側コネクタ。
【請求項９】
前記枠部の内面に形成され、前記押動部の外面に係止することで前記係止部として機能する係止突起を備えていることを特徴とする請求項８記載の雄側コネクタ。
【請求項１０】
前記雄側コネクタと前記雌側コネクタが正規嵌合して前記押動部が前記カバーに当接している状態では、前記係止部と前記係止対象部が、前記カバーと前記雌側コネクタの離間方向の相対変位を許容し、且つ前記離間方向の相対変位により係止可能となる位置関係で配されることを特徴とする請求項６ないし請求項９のいずれか１項に記載の雄側コネクタ。
【発明の詳細な説明】
【技術分野】
【０００１】
本発明は、コネクタ装置及び雄側コネクタに関するものである。
【背景技術】
【０００２】
特許文献１には、雌型コネクタ及び雄型コネクタを備えたコネクタ装置が開示されている。雄型コネクタは、雄端子を保持する端子保持部材と、端子保持部材を収容する雄側ハウジングとを備えている。雄端子は、前方に突出する雄タブを有している。雌型コネクタは、雌端子を収容するキャビティが設けられた雌側ハウジングを備えている。雌側ハウジングを雄側ハウジングのフード部内に嵌合して雌型コネクタと雄型コネクタを嵌合すると、雄端子の雄タブが雌端子に受容されて電気的に接続されるようになっている。
【先行技術文献】
【特許文献】
【０００３】
【特許文献１】特開平０６−３３３６２９号公報
【発明の概要】
【発明が解決しようとする課題】
【０００４】
上記のコネクタ装置は、本体に端子保持部材を収容する際に、雄タブが本体の外壁と干渉し、折損、破損する虞がある。この対策として、端子保持部材に、保護位置と退避位置との間でのスライドが可能な端子保護部材を取り付け、端子保持部材を本体に収容する際には、予め、端子保護部材を保護位置へ移動させて雄タブを保護する構造が考えられる。端子保護部材を退避位置へスライドさせたときには、雄側タブが端子保護部材の正面から突出した状態となるようにする。
【０００５】
雌型コネクタと雄型コネクタを嵌合する過程では、雌側ハウジングが、保護位置の端子保護部材の正面に当接し、端子保護部材を保護位置から退避位置へ押し動かすので、雄タブは突出状態となる。端子保護部材から突出した雄側タブは、雌側ハウジング内に進入して雌側端子と接続される。
【０００６】
しかしながら、嵌合状態の雌型コネクタと雄型コネクタを離脱した後で、雄型コネクタと雌型コネクタを再び嵌合しようとしたときに、雄側タブがフード部内で露出した状態となる。そのため、フード部に侵入した異物によって雄タブが破損することが懸念される。これを防止するためには、両コネクタを離脱した後で、退避位置の端子保護部材を、治具等を用いて保護位置へ引き戻しておく作業が必要となる。
【０００７】
本発明は上記のような事情に基づいて完成されたものであって、作業性を向上させることを目的とする。
【課題を解決するための手段】
【０００８】
第１の発明のコネクタ装置は、
雄側コネクタと、
前記雄側コネクタを構成し、端子本体部から前方へタブを突出させた形態の雄端子金具と、
前記雄側コネクタを構成し、前記端子本体部を保持可能な端子保持部と、
前記端子保持部に取り付けられ、前記タブを覆う保護位置と、保護位置より後方へ退いて前記タブを露出させる退避位置との間でのスライドが可能なカバーと、
前記雄側コネクタと嵌合可能な雌側コネクタと、
前記雌側コネクタを構成し、前記雄側コネクタと前記雌側コネクタが嵌合することで前記タブと接続する雌端子金具と、
前記雌側コネクタを構成し、前記雌側コネクタが雄側コネクタと嵌合する過程で前記カバーを保護位置から退避位置へ押し動かす押動部と、
前記カバーと前記雌側コネクタに形成され、前記雌側コネクタが前記雄側コネクタから離脱する過程で互いに係止することで、前記カバーを退避位置から保護位置へ引き戻す係止部とを備えていることを特徴とする。
【０００９】
第２の発明の雄側コネクタは、
押動部を有する雌側コネクタと嵌合可能な雄側コネクタであり、
端子本体部から前方へタブを突出させた形態の雄端子金具と、
前記端子本体部を保持可能な端子保持部と、
前記端子保持部に取り付けられ、前記タブを覆う保護位置と、保護位置より後方へ退いて前記タブを露出させる退避位置との間でのスライドが可能であり、前記雌側コネクタが雄側コネクタと嵌合する過程で前記押動部により保護位置から退避位置へ押し動かされるカバーと、
前記カバーに形成され、前記雌側コネクタが前記雄側コネクタから離脱する過程で前記雌側コネクタの係止対象部と係止することで、前記カバーを退避位置から保護位置へ引き戻す係止部とを備えていることを特徴とする。
【発明の効果】
【００１０】
第１の発明によれば、雌側コネクタを雄側コネクタから離脱させる過程で、雌側コネクタが、係止部同士の係止により退避位置のカバーを保護位置へ引き戻す。第２の発明によれば、雌側コネクタを雄側コネクタから離脱させる過程で、カバーの係止部と雌側コネクタの係止対象部が係止すると、カバーは、退避位置から保護位置へ引き戻される。第１及び第２の発明によれば、両コネクタを離脱した後で、カバーを退避位置から保護位置へ引き戻す作業が不要なので、作業性に優れている。
【図面の簡単な説明】
【００１１】
【図１】実施例１のコネクタ装置において、雄側コネクタと雌側コネクタを離脱した状態をあらわす斜視図
【図２】雄側コネクタの正面図
【図３】図２のＸ−Ｘ線断面図
【図４】カバーが保護位置にある状態をあらわす雄側誘電体の斜視図
【図５】雄側誘電体の正面図
【図６】カバーが保護位置にある状態をあらわす図５のＹ−Ｙ線断面図
【図７】カバーが保護位置にある状態を上下反転してあらわした雄側誘電体の斜視図
【図８】カバーが退避位置にある状態を上下反転してあらわした雄側誘電体の斜視図
【図９】カバーが退避位置にある状態のＹ−Ｙ線相当断面図
【図１０】雌側コネクタの正面図
【図１１】図１０のＺ−Ｚ線断面図
【図１２】雌側誘電体の斜視図
【図１３】雄側コネクタと雌側コネクタの嵌合の初期状態をあらわす側断面図
【図１４】雄側コネクタと雌側コネクタが正規嵌合した状態をあらわす側断面図
【図１５】雄側コネクタと雌側コネクタの離脱を開始して雄側誘電体の係止突起と雌側誘電体の係止縁部が係止した状態をあらわす側断面図
【図１６】雄側コネクタと雌側コネクタの離脱過程においてカバーが保護位置へ引き戻された状態をあらわす側断面図
【図１７】実施例２のコネクタ装置において、雄側誘電体と上下反転した雌側誘電体とを離脱して対向させた状態をあらわす斜視図
【図１８】雄側誘電体と雌側誘電体の離脱状態をあらわす側断面図
【図１９】雄側コネクタと雌側コネクタが正規嵌合した状態をあらわす側断面図
【図２０】雄側コネクタと雌側コネクタの離脱過程においてカバーが保護位置へ引き戻された状態をあらわす側断面図
【図２１】実施例３のコネクタ装置において、雄側誘電体と雌側誘電体を離脱した状態をあらわす斜視図
【図２２】雄側誘電体と雌側誘電体を離脱した状態をあらわす平断面図
【図２３】雄側コネクタと雌側コネクタが正規嵌合した状態をあらわす平断面図
【図２４】雄側コネクタと雌側コネクタの離脱過程においてカバーが保護位置へ引き戻された状態をあらわす平断面図
【発明を実施するための形態】
【００１２】
第１の発明は、前記雌側コネクタを構成し、前記雌端子金具を収容する端子収容部と、前記カバーと前記端子収容部とに形成され、前記雄側コネクタと前記雌側コネクタの嵌合過程で互いに嵌合することで、前記カバーと前記端子収容部が嵌合方向と交差する方向へ相対変位することを規制する位置決め部とを備えていてもよい。
第２の発明は、前記カバーには、前記雌側コネクタにおいて雌端子金具を収容する端子収容部と嵌合可能な位置決め部が形成され、前記雄側コネクタと前記雌側コネクタの嵌合過程では、前記位置決め部が前記端子収容部と嵌合することで、前記カバーが前記端子収容部に対し嵌合方向と交差する方向へ相対変位することが規制されるようになっていてもよい。
上記構成によれば、雄側コネクタと雌側コネクタを嵌合する過程で、雌端子金具を収容する端子収容部が、カバーに対して位置決めされる。カバーは、雄端子金具の端子本体部を保持する端子保持部に組み付けられているので、雄端子金具と雌端子金具を位置決めして両端子金具を円滑に接続させることができる。
【００１３】
第１の発明は、前記カバーの前端部には、前記位置決め部としての枠部が形成され、前記押動部は、前記枠部に嵌合することで位置決め部として機能するものであってもよい。
第２の発明は、前記カバーの前端部に形成され、前記押動部を嵌合させることで前記位置決め部として機能する枠部を備えていてもよい。
上記構成によれば、押動部が位置決め部としての機能を兼ね備えるので、押動部と位置決め部とを別々の部位に形成する場合に比べると、雌側コネクタの構造を簡素化することができる。
【００１４】
第１の発明は、前記枠部の内面に、前記係止部として機能する係止突起が形成され、前記押動部の外面に、前記係止部として機能する係止凹部が形成されていてもよい。
第２の発明は、前記枠部の内面に形成され、前記押動部の外面に係止することで前記係止部として機能する係止突起を備えていてもよい。
上記構成によれば、位置決め部として機能する枠部が、係止部としての機能を兼ね備えるので、位置決め部と係止部を別々の部位に形成する場合に比べると、カバーの形状を簡素化することができる。
【００１５】
第１の発明は、前記雄側コネクタと前記雌側コネクタが正規嵌合して前記押動部が前記カバーに当接している状態では、前記カバーの前記係止部と前記雌側コネクタの前記係止部とが、前記カバーと前記雌側コネクタの離間方向の相対変位を許容し、且つ前記離間方向の相対変位により係止可能となる位置関係で配されてもよい。
この構成によれば、雄側コネクタや雌側コネクタを構成する部材の寸法公差や組付け公差が大きくても、両コネクタの離脱時にはカバーの係止部と雌側コネクタの係止部を確実に係止させることができる。
【００１６】
第２の発明は、前記雄側コネクタと前記雌側コネクタが正規嵌合して前記押動部が前記カバーに当接している状態では、前記係止部と前記係止対象部が、前記カバーと前記雌側コネクタの離間方向の相対変位を許容し、且つ前記離間方向の相対変位により係止可能となる位置関係で配されてもよい。
この構成によれば、雄側コネクタや雌側コネクタを構成する部材の寸法公差や組付け公差が大きくても、両コネクタの離脱時にはカバーの係止部と雌側コネクタの係止対象部を確実に係止させることができる。
【００１７】
＜実施例１＞
以下、本発明を具体化した実施例１を図１〜図１６を参照して説明する。本実施例１のコネクタ装置Ａは、互いに前面同士を対向させた向きで嵌合・離脱することが可能な雄側コネクタ１０と雌側コネクタ４０とを備えて構成されている。尚、以下の説明において、雄側コネクタ１０の前後の方向については、図１，３，４，６〜９，１３〜１６における右方を前方と定義する。雌側コネクタ４０の前後の方向については、図１，１１〜１６における左方を前方と定義する。上下の方向については、図１〜１６にあらわれる向きを、そのまま上方、下方と定義する。左右の方向については、図２，５，１０にあらわれる向きを、そのまま左方、右方と定義する。
【００１８】
＜雄側コネクタ１０＞
雄側コネクタ１０は、合成樹脂製の雄側ハウジング１１と、雄側誘電体１７と、左右一対の雄端子金具３２とを組み付けて構成されている。図３に示すように、雄側ハウジング１１は、雄側収容部１２と、雄側収容部１２から前方へ延出したフード部１３とを有する単一部材である。雄側収容部１２内には、雄側ハウジング１１の後方から雄側誘電体１７が挿入されるようになっている。雄側収容部１２の内部には、前止まり部（図示省略）と弾性撓み可能な雄側ランス１４が形成されている。フード部１３を構成する上壁部の前端部内面には、ロック突起１５が形成されている。
【００１９】
＜雄側誘電体１７＞
雄側誘電体１７は、雄側ハウジング１１とは別体の部材であり、合成樹脂製のホルダ１８と合成樹脂製のカバー２２との２部材を組み付けて構成されている。ホルダ１８は、雄端子金具３２の端子本体部３３を保持する端子保持部としての機能を有する部材である。図４〜９に示すように、ホルダ１８は、全体として前後方向に長い方形板状をなす。ホルダ１８の下面（雄側誘電体１７の内面）には、前後方向に細長い左右一対の保持溝１９が形成されている。各保持溝１９には、段差部や凹凸部からなる保持用嵌合部２０が形成されている。ホルダ１８の下面前端部には、左右一対の板状をなす規制突起２１が形成されている。規制突起２１は、板厚方向を左右方向に向けて下向きに突出した形態である。
【００２０】
図４〜９に示すように、カバー２２は、全体として前後方向に長く、上面と後面が開放された箱状をなしている。カバー２２を構成する下壁部２３には、前後方向に細長い左右一対の規制溝２４が形成されている。規制溝２４は、その前後方向における略中央部が幅狭となっている。カバー２２は、ホルダ１８に対し下方から合体させるようにして組み付けられ、組付け状態では、規制突起２１が規制溝２４に嵌合される。ホルダ１８に組み付けたカバー２２は、保護位置（図３，４，６，７，１３，１６を参照）と、保護位置よりも後方へ退避した退避位置（図８，９，１４，１５を参照）との間で前後方向にスライド（平行移動）し得るようになっている。
【００２１】
図４，６に示すように、カバー２２が保護位置にある状態では、カバー２２の前端側領域がホルダ１８の前端よりも前方へ突出する。カバー２２が保護位置にある状態では、図７に示すように、規制突起２１が規制溝２４の後端部の幅広部に嵌合することで、カバー２２の退避位置側（後方）への移動が規制される。カバー２２が退避位置にある状態では、図８に示すように、規制突起２１が規制溝２４の前端部の幅広部に嵌合することで、カバー２２の保護位置側（前方）への移動が規制される。
【００２２】
カバー２２の前端部には、左右一対の逃がし凹部２６を有する前壁部２５が形成されている。カバー２２が保護位置にある状態では、前壁部２５がホルダ１８の前端から前方へ離間した位置に配される。カバー２２が退避位置にある状態では、前壁部２５の後面がホルダ１８の前端面に当接するように配される。
【００２３】
カバー２２の前端部のうち前壁部２５より前方には、正面視形状が横長の方形をなす枠部２７が形成されている。枠部２７は、後述する雌側誘電体４５に対して上下左右方向に位置決めするための位置決め部としての機能を有するものであり、カバー２２と一体に形成されている。枠部２７を構成する下板部２８と左右両側板部２９は、前壁部２５の外周縁のうち下縁部と左右両側縁部に連なり、下縁部と左右両側縁部から前方へ突出した形態である。
【００２４】
枠部２７を構成する上板部３０は、左右両側板部２９の上端縁同士を連結した形態である。上板部３０の後縁部は、左右方向中央部が前方へ凹むように屈曲した形状をなしている。上板部３０のうち左右両端部は前壁部２５の上端縁に直接的に連なっているが、上板部３０のうち左右方向中央部は、前壁部２５とは直接的に連なってはいない。上板部３０の下面（枠部２７の内面）における左右方向中央部には、下方へ突出した形態の係止突起３１（請求項に記載の係止部）が形成されている。係止突起３１の前後方向における形成領域は、枠部２７における前端側領域のみであり、前壁部２５の前面よりも前方の領域のみである。
【００２５】
＜雄端子金具３２＞
雄端子金具３２は、所定形状に打ち抜いた金属板材に曲げ加工等を施すことにより、全体として前後方向に細長い形状に成形されたものである。図３に示すように、雄端子金具３２は、端子本体部３３と、端子本体部３３から前方へ突出した細長いタブ３４と、端子本体部３３の後端に連なる圧着部３５とを備えている。圧着部３５には、ツイストペア線３６を構成する被覆電線３７が固着されている。
【００２６】
ツイストペア線３６に固着された左右一対の雄端子金具３２は、ホルダ１８に保持されている。詳細には、雄端子金具３２の端子本体部３３と圧着部３５が、一対の保持溝１９内に個別に収容され、左右方向への相対変位を規制された状態に位置決めされている。また、端子本体部３３と圧着部３５が保持用嵌合部２０と嵌合することで、雄端子金具３２は、ホルダ１８に対し前後方向の変位を規制された状態に保持されている。保持溝１９の下面の開口部がカバー２２で閉塞されることにより、雄端子金具３２はホルダ１８から下方へ離脱しないように保持されている。雄端子金具３２をホルダ１８に保持した状態では、被覆電線３７がホルダ１８の後方へ導出され、タブ３４が、ホルダ１８の前端から前方へ突出している。
【００２７】
図３，６，１６に示すように、カバー２２が保護位置にある状態では、タブ３４のうちホルダ１８から前方へ突出している前端側部分の全体が、カバー２２により下方及び左右両側方から覆われ、異物の干渉から保護される。また、タブ３４の前端側部分は、カバー２２の両側壁の上端縁より低い位置に配されているので、上方から接近した異物による干渉からも保護される。また、カバー２２が退避位置へ移動した状態では、タブ３４が逃がし凹部２６を貫通した状態となる。図８，９に示すように、退避位置では、タブ３４の前端部が、カバー２２の前壁部２５から前方へ露出して、枠部２７の前端よりも前方へ突出した状態となる。このタブ３４のうち枠部２７より前方へ突出した前端部は、雌端子金具５４に接続される（図１４参照）。
【００２８】
一対の雄端子金具３２を保持した雄側誘電体１７は、雄側誘電体モジュール３８を構成する。雄側誘電体モジュール３８は、雄側ハウジング１１の後方から雄側収容部１２内に挿入され、前止まり部（図示省略）に突き当たって前止まりされるともに、弾性撓み可能な雄側ランス１４の係止により抜止めされ、雄側ハウジング１１に対する相対変位を規制された状態に保持されている。雄側ハウジング１１に雄側誘電体１７を取り付けた状態では、ホルダ１８の前端面が、前後方向において雄側収容部１２の前端面（フード部１３の奥端面）と同じ位置に配される。したがって、カバー２２の少なくとも前端部は、雄側収容部１２の前端面より前方に突出し、フード部１３で包囲された状態となる。
【００２９】
＜雌側コネクタ４０＞
雌側コネクタ４０は、合成樹脂製の雌側ハウジング４１と、雌側誘電体４５と、左右一対の雌端子金具５４とを組み付けて構成されている。図１，１１に示すように、雌側ハウジング４１は、全体として前後方向に長いブロック状をなす。雌側収容部内には、雌側ハウジング４１の後方から雌側誘電体４５が挿入されるようになっている。雌側ハウジング４１の内部には、前止まり部（図示省略）と弾性撓み可能な雌側ランス４２が形成されている。雌側ハウジング４１の外面（上面）には、ロックアーム４３が形成されている。
【００３０】
＜雌側誘電体４５＞
雌側誘電体４５は、雌側ハウジング４１とは別体の部材であり、合成樹脂製のアッパケース４６と合成樹脂製のロアケース５３との２部材を組み付けて構成されている。図１１，１２に示すように、アッパケース４６は、全体として前後方向に長く、下面と後面が開放された箱状をなしている。アッパケース４６内には、前後方向に細長い左右一対の溝状保持部４７が形成されている。アッパケース４６の前端部には、押動壁４８が形成されている。押動壁４８には、左右一対の貫通孔４９が形成されている。ロアケース５３は、アッパケース４６に対しその下面を閉塞するように組み付けられている。雌側誘電体４５は、雌端子金具５４を収容するための端子収容部としての機能を備えたものである。
【００３１】
雌側誘電体４５の前端部のうち押動壁４８の全体とアッパケース４６を構成する上壁部の前端部は、両コネクタ１０，４０の嵌合過程で保護位置のカバー２２を退避位置へ押し動かす押動部５０としての機能を発揮する。押動部５０（押動壁４８）の正面視形状は横長の方形をなしている。押動部５０は、両コネクタ１０，４０の嵌合過程で雄側誘電体１７の枠部２７に嵌合されることにより、枠部２７に対する上下方向及び左右方向への相対変位を規制される。したがって、枠部２７と押動部５０は、雌側誘電体４５とカバー２２を両コネクタ１０，４０の嵌合方向と交差する二次元方向への相対変位を規制した状態に位置決めするための位置決め部としての機能も兼ね備えている。
【００３２】
図１１，１２に示すように、押動部５０の前端部には、係止凹部５１（請求項に記載の係止部、係止対象部）が形成されている。係止凹部５１は、押動部５０のうちアッパケース４６の上壁部の上面（外面）における左右方向中央部を凹ませた形態である。係止凹部５１の平面視形状は略方形である。係止凹部５１の左右寸法（幅寸法）は、係止突起３１の左右寸法と同じか、それより少し大きい寸法である。係止凹部５１の前後寸法は、係止突起３１の前後寸法と同じか、それより少し大きい寸法である。係止凹部５１の開口縁のうち前縁部は、係止突起３１と係止可能な係止縁部５２となっている。
【００３３】
＜雌端子金具５４＞
雌端子金具５４は、所定形状に打ち抜いた金属板材に曲げ加工等を施すことで、全体として前後方向に細長い形状に成形されたものである。図１１に示すように、雌端子金具５４は、角筒状本体部５５と、角筒状本体部５５の後端に連なる圧着部５６とを備えている。圧着部５６には、ツイストペア線５７を構成する被覆電線５８が固着されている。ツイストペア線５７に固着された左右一対の雌端子金具５４は、一対の溝状保持部４７に個別に収容された状態で雌側誘電体４５内に取り付けられている。雌端子金具５４を雌側誘電体４５内に取り付けた状態では、被覆電線５８が雌側誘電体４５の後方へ導出されている。
【００３４】
一対の雌端子金具５４を保持した雌側誘電体４５は、雌側誘電体モジュール５９を構成する。雌側誘電体モジュール５９は、後方から雌側ハウジング４１内に挿入され、前止まり部（図示省略）に突き当たって前止まりされるともに、弾性撓み可能な雌側ランス４２の係止により抜止めされ、雌側ハウジング４１に対する相対変位を規制された状態に保持されている。雌側ハウジング４１に雌側誘電体４５を取り付けた状態では、押動部５０の前端面が、前後方向において雌側ハウジング４１の前端面と同じ位置に配される。また、雌側ハウジング４１の前端面のうち押動部５０を包囲する方形枠状領域には、枠部２７との干渉を回避するための逃がし溝６０が形成されている。
【００３５】
＜実施例１の作用及び効果＞
雄側誘電体１７に雄端子金具３２を取り付けた直後は、図４，６，７に示すように、カバー２２を保護位置へ移動させておく。これにより、タブ３４は、カバー２２によって覆われるので、異物の干渉に起因する破損等から保護される。雄側誘電体モジュール３８は、カバー２２を保護位置に留め置いた状態のままで、雄側ハウジング１１に組み付けられる。
【００３６】
両コネクタ１０，４０を嵌合する際には、雌側ハウジング４１を雄側ハウジング１１のフード部１３内に嵌入する。両コネクタ１０，４０の嵌合過程では、雌側誘電体４５の押動部５０が雄側誘電体１７の枠部２７内に嵌入し、カバー２２と雌側誘電体４５とが上下及び左右方向において位置決めされる。押動部５０が枠部２７と嵌合する過程では、係止突起３１が押動部５０の前端部と干渉するが、カバー２２は、規制溝２４と規制突起２１との係止により保護位置に保持されている。したがって、図１３に示すように、枠部２７の上板部３０が上方へ弾性変位する。
【００３７】
係止突起３１が押動部５０における干渉部位を通過すると、上板部３０が下方へ弾性復帰し、係止突起３１が係止凹部５１内に収容される。係止突起３１が干渉部位を通過した後も、枠部２７と押動部５０の嵌合が僅かに進み、押動部５０の前端面が、カバー２２の前壁部２５の前端面に対し面当たり状態で突き当たる。以上により、枠部２７と押動部５０との嵌合動作が完了する。カバー２２と押動部５０が突き当たっている状態では、係止突起３１と係止凹部５１の係止縁部５２との間には、前後方向（両コネクタ１０，４０の嵌合・離脱方向と平行な方向）のクリアランスが空くので、係止突起３１と係止縁部５２は非係止の状態となる。
【００３８】
枠部２７と押動部５０の嵌合が完了した後も両コネクタ１０，４０の嵌合動作が進行し、カバー２２に対する雌側誘電体４５（押動部５０）の押圧力により、規制突起２１と規制溝２４のセミロックの係止が解除される。これにより、両コネクタ１０，４０の嵌合が進むのに伴い、カバー２２が、雌側誘電体４５と一体となって移動し、退避位置側へ押し動かされる。そして、両コネクタ１０，４０が正規の嵌合状態に至ると、図１４に示すように、ロックアーム４３とロック突起１５が係止して、両コネクタ１０，４０が嵌合状態にロックされる。
【００３９】
両コネクタ１０，４０が正規嵌合すると、カバー２２が退避位置に到達する。カバー２２が保護位置から退避位置へスライドする過程（両コネクタ１０，４０の嵌合過程）では、タブ３４がカバー２２の前方に露出し、嵌合が進むのに伴って露出寸法が次第に長くなる。これに伴い、タブ３４が押動部５０（押動壁４８）の貫通孔４９を貫通して雌側誘電体４５内に進入するので、タブ３４と雌端子金具５４との接続動作が進んでいく。そして、両コネクタ１０，４０が正規嵌合状態に至ると、雄端子金具３２と雌端子金具５４が正規の接続状態となる。
【００４０】
嵌合状態の両コネクタ１０，４０を離脱させる際には、ロックアーム４３をロック解除状態へ変位させてロック突起１５から解離させ、このロック解除状態を保ったままで両ハウジング１１，４１を引き離す。両コネクタ１０，４０の離脱過程初期においては、図１４に示すように、雌側誘電体４５が雌側ハウジング４１と一体となって雄側ハウジング１１及び雄側誘電体１７から遠ざかる。この間、クリアランスが詰められるようにカバー２２と雌側誘電体４５が相対変位して、係止突起３１と係止縁部５２とが当接して係止状態となる。
【００４１】
この状態から、両コネクタ１０，４０の離脱が進む過程では、係止突起３１と係止縁部５２との係止により、カバー２２が、雌側誘電体４５と一体となってホルダ１８から遠ざかりながら保護位置に向かって変位する。カバー２２がホルダ１８から遠ざかるときに、規制突起２１と規制溝２４のセミロック係止は解除される。そして、図１６に示すように、カバー２２が保護位置に到達すると、規制突起２１が規制溝２４の後端に突き当たるので、カバー２２はそれ以上ホルダ１８から遠ざかることはできない。したがって、カバー２２が保護位置に到達した後は、係止突起３１と係止縁部５２との係止が解除され、雌側ハウジング４１がカバー２２から離脱する。
【００４２】
本実施例１のコネクタ装置Ａは、雄側コネクタ１０と、雄側コネクタ１０を構成し、端子本体部３３から前方へタブ３４を突出させた形態の雄端子金具３２と、雄側コネクタ１０を構成する雄側誘電体１７とを有する。雄側誘電体１７は、雄端子金具３２の端子本体部３３を保持可能な端子保持部としてのホルダ１８と、ホルダ１８に取り付けられたカバー２２とを有する。カバー２２は、タブ３４を覆う保護位置と、保護位置より後方へ退いてタブ３４の前端部を露出させる退避位置との間でのスライドが可能である。
【００４３】
また、本実施例１のコネクタ装置Ａは、雄側コネクタ１０と嵌合可能な雌側コネクタ４０と、雌側コネクタ４０を構成し、両コネクタ１０，４０が嵌合することでタブ３４と接続する雌端子金具５４と、雌側コネクタ４０を構成する押動部５０とを有する。押動部５０は、雌側コネクタ４０が雄側コネクタ１０と嵌合する過程でカバー２２を保護位置から退避位置へ押し動かす機能を有する。
【００４４】
また、カバー２２には係止突起３１が形成され、雌側コネクタ４０には係止凹部５１が形成されている。雌側コネクタ４０が雄側コネクタ１０から離脱する過程では、係止突起３１と係止凹部５１の係止縁部５２とが互いに係止することで、雌側コネクタ４０（雌側誘電体４５）がカバー２２を退避位置から保護位置へ引き戻す。このように、両コネクタ１０，４０を離脱した後で、カバー２２を退避位置から保護位置へ引き戻す作業が不要なので、作業性に優れている。
【００４５】
また、本実施例１のコネクタ装置Ａは、雌側コネクタ４０を構成し、雌端子金具５４を収容する端子収容部としての機能を有する雌側誘電体４５を備えている。カバー２２の前端部には位置決め部として機能する枠部２７が形成され、雌側誘電体４５の前端部には位置決め部として機能する押動部５０が形成されている。雄側コネクタ１０と雌側コネクタ４０の嵌合過程では、枠部２７の内周と押動部５０の外周とが互いに嵌合することにより、カバー２２と雌側誘電体４５とが嵌合方向と交差する方向へ相対変位することを規制される。
【００４６】
この構成によれば、雄側コネクタ１０と雌側コネクタ４０を嵌合する過程で、雌端子金具５４を収容する雌側誘電体４５が、カバー２２に対して位置決めされる。カバー２２は、雄端子金具３２の端子本体部３３を保持するホルダ１８に組み付けられているので、雄端子金具３２と雌端子金具５４を位置決めして両端子金具３２，５４を円滑に接続させることができる。
【００４７】
また、押動部５０は、両コネクタ１０，４０の嵌合過程で保護位置のカバー２２を退避位置へ押し動かすための機能を有する手段であるが、枠部２７に嵌合することで位置決め部として機能も兼ね備えている。したがって、押動部５０とは別の部位に位置決め部を形成する場合に比べると、本実施例１の雌側コネクタ４０は、雌側誘電体４５の構造を簡素化することができる。
【００４８】
また、枠部２７の内面には係止部として機能する係止突起３１が形成され、押動部５０の外面には係止部として機能する係止凹部５１が形成されている。係止突起３１が形成されている枠部２７は、押動部５０と協動して位置決め部として機能するものであるので、位置決め部としての枠部２７が、係止部としての機能も兼ね備えていることになる。したがって、係止部とは別の部位に位置決め部を形成する場合に比べると、本実施例１の雄側誘電体１７は、カバー２２の形状を簡素化することができる。
【００４９】
また、両コネクタ１０，４０が正規嵌合して押動部５０がカバー２２に当接している状態では、カバー２２の係止突起３１と雌側コネクタ４０の係止縁部５２とが当接していないので、カバー２２と雌側コネクタ４０は離間方向に相対変位し得るようになっている。そして、カバー２２と雌側コネクタ４０（雌側誘電体４５）が離間方向に相対変位することで、係止突起３１と係止縁部５２が係止状態となる。係止突起３１と係止縁部５２を上記のような位置関係とすることで、雄側コネクタ１０や雌側コネクタ４０を構成する部材の寸法公差や組付け公差が大きくても、両コネクタ１０，４０の離脱時にはカバー２２の係止突起３１と雌側コネクタ４０の係止縁部５２を確実に係止させることができる。
【００５０】
＜実施例２＞
次に、本発明を具体化した実施例２を図１７〜図２０を参照して説明する。本実施例２のコネクタ装置Ｂは、雄側誘電体７０のカバー７１の形状と、雌側誘電体７５の押動部７６及びその近傍部位の形状を上記実施例１とは異なる構成としたものである。その他の構成については上記実施例１と同じであるため、同じ構成については、同一符号を付し、構造、作用及び効果の説明は省略する。
【００５１】
図１７に示すように、雄側誘電体７０のカバー７１の前端部には、実施例１の位置決め部として機能する枠部２７も、係止部として機能する係止突起３１も形成されていない。カバー７１の前端部には、前壁部７２の下縁部から前方へ突出した形態のリブ７３が形成されている。リブ７３の左右両端部には、上方へ突出した形態の一対の機能突起７４（請求項に記載の係止部及び位置決め部）が形成されている。図１７に示すように、雌側誘電体７５の前端部には、押動部７６の下端縁部を凹ませた形態の段差状凹部７７が形成されている。段差状凹部７７の左右両端部には、一対の機能凹部７８（請求項に記載の係止対象部、位置決め部）が形成されている。
【００５２】
雄側コネクタ１０と雌側コネクタ４０の嵌合過程で押動部７６がカバー７１を保護位置から退避位置へ押し動かす過程では、リブ７３と段差状凹部７７が嵌合するとともに、左右一対の機能突起７４と左右一対の機能凹部７８が嵌合する。リブ７３と段差状凹部７７の嵌合により、カバー７１の前端部と雌側誘電体７５の前端部（押動部７６）に対して上方への相対変位を規制される。また、機能突起７４と機能凹部７８との係止により、カバー７１の前端部と雌側誘電体７５の前端部（押動部７６）が、前後方向への離脱を規制されるとともに、左右方向において位置決めされる。また、両コネクタ１０，４０を離脱する過程では、機能突起７４と機能凹部７８とが係止することにより、雌側コネクタ４０が退避位置のカバー７１を保護位置へ引き戻す。
【００５３】
＜実施例３＞
次に、本発明を具体化した実施例３を図２１〜図２４を参照して説明する。本実施例３のコネクタ装置Ｃは、雄側誘電体８０のカバー８１に形成した係止突起８２（請求項に記載の係止部）と、雌側誘電体８３の押動部８４に形成した係止凹部８５（請求項に記載の係止部、係止対象部）を、上記実施例１とは異なる構成としたものである。その他の構成については上記実施例１と同じであるため、同じ構成については、同一符号を付し、構造、作用及び効果の説明は省略する。
【００５４】
上記実施例１では係止突起３１が枠部２７を構成する上板部３０の内面に形成されてしたが、本実施例３の係止突起８２は、図２１，２２に示すように、枠部２７を構成する左右両側板部２９内面における上端部に形成されている。また、上記実施例１では係止凹部５１が押動部５０の上面に形成されていたが、本実施例３の係止凹部８５は、押動部８４の左右両外側面における上端部に形成されている。
【００５５】
雄側コネクタ１０と雌側コネクタ４０の嵌合過程で押動部８４がカバー８１を保護位置から退避位置へ押し動かす過程では、枠部２７と押動部８４が嵌合して上下左右に位置決めされるととともに、左右一対の係止突起８２と左右一対の係止凹部８５が係止する。また、両コネクタ１０，４０を離脱する過程では、係止突起８２と係止凹部８５が係止することにより、退避位置のカバー８１が保護位置へ引き戻される。
【００５６】
＜他の実施例＞
本発明は上記記述及び図面によって説明した実施例に限定されるものではなく、例えば次のような実施例も本発明の技術的範囲に含まれる。
（１）上記実施例１〜３では、端子保持部として機能するホルダにカバーとを組み付けることによって雄側誘電体を構成し、この雄側誘電体を雄側ハウジングに取り付けたが、端子保持部を雄側ハウジングと一体に形成してもよい。
（２）上記実施１〜３例では、押動部が形成されている雌側誘電体を雌側ハウジングに取り付けたが、押動部を雌側ハウジングと一体に形成してもよい。
（３）上記実施例１〜３では、位置決め部としての枠部をカバーに形成したが、位置決め部としての枠部を端子収容部（雌側誘電体）に形成してもよい。
（４）上記実施例１〜３では、カバーと端子収容部に位置決め部を形成したが、このような位置決め部を形成しない形態としてもよい。
【符号の説明】
【００５７】
Ａ，Ｂ，Ｃ…コネクタ装置
１０…雄側コネクタ
１８…ホルダ（端子保持部）
２２，７１，８１…カバー
２７…枠部（位置決め部）
３１，８２…係止突起（係止部）
３２…雄端子金具
３３…端子本体部
３４…タブ
４０…雌側コネクタ
４５，８３…雌側誘電体（端子収容部）
５０，７６，８４…押動部（位置決め部）
５１，８５…係止凹部（係止部、係止対象部）
５３…雌端子金具
７４…機能突部（係止部、位置決め部）
７８…機能凹部（係止部、係止対象部、位置決め部）
【図１】
2019040827.tif 000003
【図２】
2019040827.tif 000004
【図３】
2019040827.tif 000005
【図４】
2019040827.tif 000006
【図５】
2019040827.tif 000007
【図６】
2019040827.tif 000008
【図７】
2019040827.tif 000009
【図８】
2019040827.tif 000010
【図９】
2019040827.tif 000011
【図１０】
2019040827.tif 000012
【図１１】
2019040827.tif 000013
【図１２】
2019040827.tif 000014
【図１３】
2019040827.tif 000015
【図１４】
2019040827.tif 000016
【図１５】
2019040827.tif 000017
【図１６】
2019040827.tif 000018
【図１７】
2019040827.tif 000019
【図１８】
2019040827.tif 000020
【図１９】
2019040827.tif 000021
【図２０】
2019040827.tif 000022
【図２１】
2019040827.tif 000023
【図２２】
2019040827.tif 000024
【図２３】
2019040827.tif 000025
【図２４】
2019040827.tif 000026